(57)【要約】【課題】  入力された一連の動画データが、複数の記録媒体に相異なるビットレートや記録フォーマットで記録され、かつ、複数のファイルに分割して記録された場合でも、記録媒体間のファイルの対応関係を維持できるようにする。【解決手段】  記録手段は、動画データを含む動画ファイルを第１記録媒体と第２記録媒体とに記録する記録手段であって、記録中の動画ファイルのサイズが所定のサイズに達したことに応じて記録中の動画ファイルを分割して記録を続ける。制御手段は、第１の動画データを第１記録媒体に記録しながら、第１の動画データよりも低いビットレートの第２の動画データを第２記録媒体に記録するように記録手段を制御する。管理手段は、第１の動画データを含む複数の動画ファイルの分割位置に対応した、第２の動画データにおける位置に関する付加情報を、記録手段により、第２の動画データを含む動画ファイルに関連付けて第２記録媒体に記録させる。【選択図】  図１
2014165677.tif 000002
【特許請求の範囲】
【請求項１】
動画データを含む動画ファイルを第１記録媒体と第２記録媒体とに記録する記録手段であって、記録中の動画ファイルのサイズが所定のサイズに達したことに応じて記録中の動画ファイルを分割して記録を続ける記録手段と、
第１の動画データを前記第１記録媒体に記録しながら、前記第１の動画データよりも低いビットレートの第２の動画データを第２記録媒体に記録するように前記記録手段を制御する制御手段と、
前記第１の動画データを含む複数の動画ファイルの分割位置に対応した、前記第２の動画データにおける位置に関する付加情報を、前記記録手段により、前記第２の動画データを含む動画ファイルに関連付けて前記第２記録媒体に記録させる管理手段と、
を有することを特徴とする記録装置。
【請求項２】
前記第２記録媒体に記録された先頭の動画ファイルである第１の動画ファイルのインデクス画像と、前記第１記録媒体に記録された前記複数の動画ファイルのうち先頭の動画ファイルを除く少なくとも１つの第２の動画ファイルのインデクス画像とを一画面内に表示する表示手段を更に有することを特徴とする請求項１に記載の記録装置。
【請求項３】
前記表示手段により表示されたインデクス画像のうち前記第１の動画ファイルのインデクス画像が選択された場合、前記第１の動画ファイルの先頭から再生を開始し、前記第２の動画ファイルのインデクス画像が選択された場合、前記第２の動画ファイルの開始位置に対応する前記第１の動画ファイルの中間位置から再生を開始する再生制御手段を更に有することを特徴とする請求項２に記載の記録装置。
【請求項４】
前記インデクス画像はサムネイル画像であることを特徴とする請求項２又は３に記載の記録装置。
【請求項５】
前記付加情報は、前記第２記録媒体に記録される動画ファイルのヘッダ部に保存されることを特徴とする請求項１乃至４のいずれか１項に記載の記録装置。
【請求項６】
記録装置の制御方法であって、
記録手段が、動画データを含む動画ファイルを第１記録媒体と第２記録媒体とに記録する記録手段であって、記録中の動画ファイルのサイズが所定のサイズに達したことに応じて記録中の動画ファイルを分割して記録を続ける記録工程と、
制御手段が、第１の動画データを前記第１記録媒体に記録しながら、前記第１の動画データよりも低いビットレートの第２の動画データを第２記録媒体に記録するように前記記録手段を制御する制御工程と、
管理手段が、前記第１の動画データを含む複数の動画ファイルの分割位置に対応した、前記第２の動画データにおける位置に関する付加情報を、前記記録手段により、前記第２の動画データを含む動画ファイルに関連付けて前記第２記録媒体に記録させる管理工程と、
を有することを特徴とする記録装置の制御方法。
【請求項７】
コンピュータを、請求項１乃至５のいずれか１項に記載の記録装置が有する各手段として機能させるためのプログラム。
【発明の詳細な説明】
【技術分野】
【０００１】
本発明は、動画データを記録する記録装置及びその制御方法に関する。
【背景技術】
【０００２】
従来、動画や音声を記録する記録装置としてビデオカメラが知られている。近年では、メモリカードやＨＤＤなどのランダムアクセス、且つ、大容量の記録媒体に対して動画や音声を記録する家庭用のビデオカメラが登場しており、一般家庭に広く普及している。特許文献１は、撮影により得られた動画データを複数の記録媒体に同時に記録する技術を開示している。この技術によれば、映像コンテンツを異なるビットレートや解像度、異なる記録フォーマットで複数の記録媒体に記録することができる。これにより例えば、メインの記録を行うと同時に、バックアップ用、Ｗｅｂ用などの様々な用途の動画ファイルを同時に生成することができる。
【先行技術文献】
【特許文献】
【０００３】
【特許文献１】特開２０１２−０３８３７５号公報
【発明の概要】
【発明が解決しようとする課題】
【０００４】
記録開始から記録停止までの間に入力された一連の動画データは、通常、１つのファイルとして記録媒体に記録される。しかし、ファイルシステムによっては１つのファイルのサイズの上限が決められており、記録中の動画データのファイルのサイズが上限に達した場合、別のファイルに分割して記録媒体に記録されることになる。また、記録される動画データのデータレートや画素数、記録フォーマットにより、１つのファイルに格納できる動画の時間長も異なる。そのため、一連の動画データが複数の記録媒体に相異なるビットレートや記録フォーマットで記録され、かつ、それらが複数のファイルに分割されて記録された場合、記録媒体間におけるファイルの対応関係が分からなくなるという問題がある。
【０００５】
そこで本発明は、入力された一連の動画データが、複数の記録媒体に相異なるビットレートや記録フォーマットで記録され、かつ、複数のファイルに分割して記録された場合でも、記録媒体間のファイルの対応関係を維持できるようにする。
【課題を解決するための手段】
【０００６】
本発明の一側面によれば、動画データを含む動画ファイルを第１記録媒体と第２記録媒体とに記録する記録手段であって、記録中の動画ファイルのサイズが所定のサイズに達したことに応じて記録中の動画ファイルを分割して記録を続ける記録手段と、第１の動画データを前記第１記録媒体に記録しながら、前記第１の動画データよりも低いビットレートの第２の動画データを第２記録媒体に記録するように前記記録手段を制御する制御手段と、前記第１の動画データを含む複数の動画ファイルの分割位置に対応した、前記第２の動画データにおける位置に関する付加情報を、前記記録手段により、前記第２の動画データを含む動画ファイルに関連付けて前記第２記録媒体に記録させる管理手段とを有することを特徴とする記録装置が提供される。
【発明の効果】
【０００７】
本発明によれば、入力された一連の動画データが、複数の記録媒体に相異なるビットレートや記録フォーマットで記録され、かつ、複数のファイルに分割して記録された場合でも、記録媒体間のファイルの対応関係を維持することができる。
【図面の簡単な説明】
【０００８】
【図１】実施形態に係るビデオカメラの構成を示すブロック図。
【図２】実施形態における同時記録モードの設定画面の例を示す図。
【図３】実施形態における動画ファイルの構造を説明する図。
【図４】実施形態におけるビデオカメラの同時記録モードでの記録処理を示すフローチャート。
【図５】実施形態におけるビデオカメラのインデクス画面表示処理を示すフローチャート。
【図６】実施形態におけるインデクス画面の表示処理を説明する図。
【図７】実施形態における動画ファイルの構造を説明する図。
【図８】実施形態におけるビデオカメラの同時記録モードでの記録処理を示すフローチャート。
【発明を実施するための形態】
【０００９】
以下、添付の図面を参照して、本発明の実施形態を詳しく説明する。なお、以下の実施形態において示す構成は一例に過ぎず、本発明は図示された構成に限定されるものではない。
【００１０】
（第１実施形態）
図１は、第１実施形態に係る記録装置としてのビデオカメラ１００の構成例を示すブロック図である。このビデオカメラ１００は例えば、ＡＶＣＨＤフォーマットとＭＰ４フォーマットの２つの記録フォーマットが選択可能で、選択フォーマットに従い、撮像部１０１を介して入力された動画像信号を記録する。図１において、撮像部１０１は被写体を撮影し、被写体を示す動画像信号を生成して出力する。撮像部１０１は、ズームレンズやフォーカスレンズ等の光学系、ＣＭＯＳ等のイメージセンサ、アイリス、撮影した動画像信号をデジタル信号に変換するＡＤ変換器、撮影された動画像に必要な処理を施す処理回路等を含む。また、撮像部１０１は、制御部１０８から静止画撮影の指示があると、静止画撮影指示に対応したタイミングで１画面の静止画信号を生成し、メモリ１０２に記憶する。メモリ１０２は、撮像部１０１から出力された動画像信号や静止画信号、その他のデータを記憶する。第１信号処理部１０３と第２信号処理部１０４は、撮像部１０１にて撮影された動画像信号に対して、ＭＰＥＧ４（以下「ＭＰ４」と略記。）等の公知の符号化方式に従う符号化処理を施し、その情報量を圧縮する。ここで、第１信号処理部１０３と第２信号処理部１０４は同時に動作することも可能である。例えば、第１信号処理部１０３でＡＶＣＨＤ記録を行う一方、第２信号処理部１０４でＭＰ４記録を行うことができる。また、第１信号処理部１０３を高ビットレートのＭＰ４記録に設定し、第２信号処理部１０４を低ビットレートのＭＰ４記録に設定することもできる。あるいは、両者を同一の記録フォーマットに設定することも可能である。また、第１信号処理部１０３は、制御部１０８から静止画撮影の指示があると、メモリ１０２に記憶された静止画信号に対してＪＰＥＧ等の公知の符号化処理を施し、再度、メモリ１０２に保存する。ここで保存した静止画像は、動画ファイルにおけるサムネイル画像も含む。本実施形態では、第１信号処理部１０３を高ビットレートのＭＰ４記録、第２信号処理部１０４を低ビットレートのＭＰ４記録に設定するものとする。
【００１１】
また、ビデオカメラ１００は、再生モードにおいて、保存した動画ファイルや静止画ファイルを再生する際に、それらのインデクス画像であるサムネイル画像を表示することができる。以下、そのような表示を「インデクス表示」という。ユーザは、そのインデクス表示から、再生したい画像ファイルを選択することができる。第１信号処理部１０３と第２信号処理部１０４は、制御部１０８からサムネイル生成の指示があった場合、ＡＶＣＨＤの場合は、動画ファイルから、動画像信号を復号して先頭付近のフレーム画像データを縮小してサムネイル画像とする。ＭＰ４の場合は、メモリ内に保存しているＪＰＥＧ画像を復号して情報量を伸張してサムネイル画像として表示する。静止画像の場合も静止画信号から同様にしてサムネイル表示を行う。そして、インデクス画面にて、ユーザによりファイルが選択された場合は、それに対応する動画像信号や静止画信号を復号し、情報量を伸張する。
【００１２】
表示制御部１０５は、制御部１０８からの指示に従い、動画像や静止画像、各種の情報を表示部１０６に表示する。表示部１０６は液晶パネル等、公知の表示装置を含む。制御部１０８はマイクロコンピュータやその他必要なメモリを有し、メモリ１０２に記憶されたプログラムに従い、操作部１０７からの指示に応じてビデオカメラ１００の各部の動作を制御する。操作部１０７は、電源スイッチ、動画像の撮影開始、停止を指示するトリガスイッチ、静止画撮影スイッチ、ズームスイッチ、再生スイッチ、メニュースイッチ等の各種のスイッチを備える。制御部１０８は、操作部１０７からのユーザの指示を受け付ける。なお、操作部１０７の一部はタッチパネルで構成され、表示部１０６に装着されるようにしてもよい。
【００１３】
第１記録再生部１０９及び第２記録再生部１１０は、記録制御手段、再生制御手段、管理手段として機能する。第１記録再生部１０９は、制御部１０８からの指示に従い、第１記録媒体１１２に対する動画像信号や静止画信号、各種のデータの記録を行う。第１記録再生部１０９はまた、制御部１０８からの指示に従い、第１記録媒体１１２に記録されている動画データや静止画データを読み出してサムネイル画像を表示し、選択された画像データの再生を行う。第１記録媒体１１２は例えば、ビデオカメラ１００の本体に内蔵された、大容量のフラッシュメモリやハードディスク（ＨＤＤ）等のランダムアクセスな記録媒体である。第２記録再生部１１０は、制御部１０８からの指示に従い、第２記録媒体１１３に対する動画像信号や静止画信号、各種のデータの記録を行う。第２記録再生部１１０はまた、制御部１０８からの指示に従い、第２記録媒体１１３に記録されている動画データや静止画データ、各種のデータを読み出してサムネイル画像を表示し、選択された画像データの再生を行う。ここで、第１記録再生部１０９、第２記録再生部１１０は、ＦＡＴ等の公知のファイルシステムに従い、第１記録媒体１１２、第２記録媒体１１３に記録した動画像信号や静止画信号、各種のデータをファイルとして管理する。第２記録媒体１１３は、メモリカードやハードディスク（ＨＤＤ）等のランダムアクセス可能な記録媒体である。本実施形態では、第２記録媒体１１３は例えば、フラッシュメモリを内蔵したメモリカードであり、着脱可能な記録媒体である。従ってビデオカメラ１００は、第２記録媒体１１３に対する不図示の装着、排出機構を備え、これによりユーザはビデオカメラ１００に対して第２記録媒体１１３を容易に装着、排出することができる。また、記録再生部１１０は、装着された第２記録媒体１１３を保護するための不図示の蓋を備えている。ユーザは、蓋を開けることで、第２記録媒体１１３を装着、排出する。また、第２記録媒体１１３が装着された状態で蓋を閉めることで、後述のように動画像の記録が可能となり、記録中などに蓋を開けた場合は、動画記録を停止する。
【００１４】
出力部１１１は、撮像部１０１より得られる映像信号、或いは、再生された動画像信号や静止画信号をビデオカメラ１００の外部機器に出力する。内部バス１１４は、ビデオカメラ１００の各部の間で、各種のデータやコマンドを転送するために用いられる。以上のように、ビデオカメラ１００は、動画撮影により得られる異なる２つの動画データを同時に別々の記録媒体に記録することが可能な構成となっている。
【００１５】
次に、ビデオカメラ１００による基本的な撮影処理、及び再生処理について説明する。ビデオカメラ１００では、内蔵の第１記録媒体１１２と、着脱可能な第２記録媒体１１３の２つの記録媒体に対して動画像信号を記録し、再生することができる。撮影処理において、ユーザはビデオカメラ１００が後述する記録ポーズ状態であるときに操作部１０７を操作して、これら２つの記録媒体のうちの何れか１つを記録先の記録媒体として選択する。そして、記録するフォーマットとしてＡＶＣＨＤまたはＭＰ４のどちらかを選択し、記録フォーマット毎に異なるビットレート（データレート）やフレームレートを選択する。ここで、ビットレートの設定に対応して、記録される動画の画素数（画面サイズ）が決定される。例えばＭＰ４の場合、ビットレートが２４Ｍｂｐｓに設定されると、記録される動画の画素数が横１９２０画素×縦１０８０画素に設定される。
【００１６】
制御部１０８は、選択された記録媒体や記録フォーマット、ビットレート、フレームレートを示す情報を内部の不揮発性メモリに記憶する。操作部１０７によりビデオカメラ１００の電源が投入されると、制御部１０８は各部を制御して、撮像部１０１により得られた動画像信号に応じた被写体の動画像を表示部１０６に表示し、記録ポーズ状態となる。この状態で、前述のように記録先の記録媒体や記録フォーマット、ビットレート、フレームレートが設定される。その後、操作部１０７により撮影開始の指示があると、制御部１０８は各部を制御し、記録先に設定された記録媒体への動画データの記録を開始する。
【００１７】
撮像部１０１は、制御部１０８からの指示があると、動画像信号を出力し、内部バス１１４を介してメモリ１０２に一旦記憶する。通常の動画記録の場合、制御部１０８は、第１信号処理部１０３へ指示を出し、メモリ１０２に記憶された動画像信号を符号化し、動画データとして、メモリ１０２に再度記憶させる。記録先として第１記録媒体１１２が選択されていた場合、制御部１０８は第１記録再生部１０９に対し、メモリ１０２から動画データを読み出し、第１記録媒体１１２に記録するように指示する。そして、操作部１０７により撮影停止の指示があると、制御部１０８は第１記録再生部１０９に対して、記録の停止を指示する。
【００１８】
本実施形態では、記録開始から記録停止までの間に入力された一連の動画データは、所定のファイルサイズを超えない範囲内において、１つの動画ファイルにして記録媒体に記録される。記録中の動画ファイルのサイズが所定のサイズに達した場合、それ応じて記録中の動画ファイルが分割されて記録が継続されうる。また、制御部１０８は、分割された複数の動画ファイルに対して、ファイル関連情報を保存することで、分割された複数の動画ファイルに対して、再生時には、あたかも１つの動画ファイルであるかのように連続して再生を行うことができる。したがって、制御部１０８は、各記録再生部に対して、ファイル関連情報を記録媒体に記録するように指示する。本実施形態において、ファイル関連情報は、ＭＰ４の場合は、動画ファイル内に保存され、ＡＶＣＨＤの場合は、ＡＶＣＨＤ規格に基づいた公知の関連情報として、管理ファイルに保存される。また、制御部１０８は、ＭＰ４のフォーマットの場合のみ、動画記録を開始する際に、メモリ１０２に記録された動画像信号を一旦、静止画信号に切り換えて、静止画信号として符号化処理を実行し、メモリ１０２へ静止画データを記録してから動画記録を開始する。そして、記録終了時に、メモリ１０２に記録された静止画データをＭＰ４の動画データ内に記録する。
【００１９】
また、記録ポーズ状態において、操作部１０７により静止画撮影の指示があると、制御部１０８は撮像部１０１に対して静止画記録を指示する。撮像部１０１は静止画記録の指示に応じて１画面の静止画信号を生成し、メモリ１０２に記憶する。第１信号処理部１０３、第２信号処理部１０４は、制御部１０８からの静止画記録の指示に応じて、メモリ１０２に記憶された静止画信号を符号化し、再度、メモリ１０２に記憶する。そして、制御部１０８は、第１記録再生部１０９、第２記録再生部１１０のうち、静止画記録先として選択された記録媒体に、静止画データを記録するように制御する。また、本実施形態では、ＭＰ４動画データと静止画像をＤＣＦ（Design rule for Camera File system）規格に従って記録する。
【００２０】
次に、再生処理について説明する。操作部１０７により動画の再生処理への切替の指示があると、制御部１０８は、第１記録媒体１１２、第２記録媒体１１３のうち、記録先として選択されている記録媒体の、インデクス画面の表示処理を行う。ＡＶＣＨＤ動画の場合、制御部１０８は記録媒体に記録されたＡＶＣＨＤの動画ファイルに含まれる動画像信号の先頭部分を再生するように、第１記録再生部１０９を制御する。動画像信号の先頭部分は、第１信号処理部１０３により復号され、表示制御部１０５に送られる。表示制御部１０５は、復号された先頭部分の画像のサイズを縮小することによりサムネイル画像を生成して表示部１０６に表示する。ＭＰ４動画の場合、前述したように、ＭＰ４の記録を開始する際に保存した静止画データを復号して表示制御部１０５へ送る。表示制御部１０５は、必要であるならば静止画像を縮小してサムネイル画像とし、表示部１０６に表示する。ユーザは、操作部１０７を操作し、表示部１０６に表示された各動画ファイルのサムネイル画像のうち、再生したいサムネイル画像を選択し、再生を指示する。制御部１０８は再生が指示されると、選択されたサムネイル画像に対応した動画ファイルを再生するように、第１記録再生部１０９、第２記録再生部１１０のうち選択された記録媒体に対応する記録再生部を制御する。第１記録再生部１０９、第２記録再生部１１０は、制御部１０８からの指示により、指定された動画ファイルの一部を随時、記録媒体から読み出し、メモリ１０２に記憶する。第１信号処理部１０３はメモリ１０２から動画ファイルを読み出して復号し、再生された動画データとして再度、メモリ１０２に記憶する。表示制御部１０５はメモリ１０２から再生された動画データを読み出し、表示部１０６に表示する。操作部１０７より再生停止の指示があると、制御部１０８は動画ファイルの再生を停止し、再び、インデクス画面を表示部１０６に表示させる。操作部１０７より、静止画の再生処理への指示がされると、制御部１０８は、同様に記録媒体に記録された各静止画信号のサムネイル画像を生成し、表示部１０６に表示する。そして、ユーザに選択されたサムネイル画像に対応する静止画ファイルを記録媒体から再生し、表示部１０６に表示させる。
【００２１】
次に、同時記録モードについて説明する。本実施形態のビデオカメラ１００は、同時記録モードを持つ。同時記録モードは、第１の動画データを第１記録媒体に記録しながら、第１の動画データよりも低いビットレートの第２の動画データを第２記録媒体に記録する、というものである。本実施形態において、同時記録モードでは、２つの記録媒体に対して、ＡＶＣＨＤまたはＭＰ４の記録フォーマットでの記録を自由に組み合わせて設定できる。例えば、第１信号処理部１０３をＡＶＣＨＤのフォーマットとして設定し、第２信号処理部１０４をＭＰ４のフォーマットとして設定することができる。本実施形態では、第１信号処理部１０３を高ビットレートのＭＰ４に設定し、第２信号処理部１０４を低ビットレートのＭＰ４に設定するものとする。ユーザは、ビデオカメラ１００が記録ポーズ状態の時に同時記録モードの設定を指示することで、このような同時記録モードを有効に設定することができる。操作部１０７により、同時記録モードへの設定指示があると、制御部１０８は表示制御部１０５に対し、同時記録モードの設定画面を表示部１０６へ表示するように指示する。
【００２２】
図２（ａ）は、同時記録モードの設定指示があったときに表示部１０６に表示される設定画面である。同時記録モードの設定指示があると、まず、図２（ａ）に示す、同時記録の有効か無効かを設定できる画面２０１を表示部１０６へ表示する。ボタン２０１ａは、同時記録を有効にする場合に選択するボタンである。ボタン２０１ｂは同時記録を無効にする場合に選択するボタンである。表示２０１ｃは、現在設定されている同時記録の情報を表示する。ボタン２０１ｄは、現在の設定を変更する場合に選択するボタンである。ボタン２０１ｅは画面２０１を閉じるボタンである。ユーザは、この画面２０１で同時記録の有効、無効を選択でき、仮に無効を選択した場合でも同時記録が有効になっていた時に設定されていた情報は保持される。２０１ｃで示した現在の設定は、左から順に記録フォーマット、フレームレート、記録モード（ビットレート）を示している。現在の設定を変更したい場合は、ボタン２０１ｄを選択することで画面２０２が表示部１０６へ表示される。
【００２３】
図２（ｂ）は、記録媒体毎に同時記録時の記録フォーマットを選択する選択画面である。ボタン２０２ａは第１記録媒体１１２（「内蔵」と表示されている。）へのＡＶＣＨＤ記録の設定を指示するボタン、ボタン２０２ｂは第１記録媒体１１２へのＭＰ４記録の設定を指示するボタンである。ボタン２０２ｃは第２記録媒体１１３（「ＳＤカード」と表示されている。）へのＡＶＣＨＤ記録の設定を指示するボタン、ボタン２０２ｄは第２記録媒体１１３へのＭＰ４記録の設定を指示するボタンである。ボタン２０２ｅは、画面２０１へ戻るボタン、ボタン２０２ｆは画面２０３へ遷移するボタン、ボタン２０２ｇは、画面２０２を閉じるボタンである。ユーザは、それぞれの記録媒体に記録するフォーマットをこのように自由に選択することが可能である。ここで、１つの記録媒体の中で、ＡＶＣＨＤとＭＰ４は混在することが可能であるため、記録停止中に各記録媒体の記録フォーマットをいつでも変更することは可能である。
【００２４】
図２（ｃ）は、画面２０２にてボタン２０２ｆを押した後に表示部１０６に表示される画面である。ボタン２０３ａは、フレームレートの設定を指示するボタンである。ボタン２０３ｂは、第１記録媒体１１２の記録モード（ビットレート）の設定を指示するボタンである。ボタン２０３ｃは、第２記録媒体１１３の記録モード（ビットレート）の設定を指示するボタンである。ボタン２０３ｄは画面２０２へ戻るボタンである。ボタン２０３ｆは同時記録の設定を完了し画面２０３を閉じるボタンである。ボタン２０３ｇも画面２０３を閉じるボタンである。ユーザは、これらの設定を行うことで同時記録の設定を自由に変更することができる。
【００２５】
図２（ｄ）、（ｅ）は、同時記録をＯＮに設定した時の記録ポーズ画面である。同時記録モードは、記録ポーズ状態のときに画面２０１にて同時記録をＯＮに設定したとしても、以下の条件１〜条件６を全て満たしていないと同時記録を有効にすることができない。
（条件１）設定された記録フォーマットのシーン上限に達していないこと。
（条件２）ファイルシステムが不正ではないこと。
（条件３）記録媒体の残容量が所定値以上あること。
（条件４）着脱可能な記録媒体が存在すること。
（条件５）着脱可能な記録媒体がプロテクトされていないこと。
（条件６）着脱可能な記録媒体を保護するための蓋が閉じられていること。
【００２６】
図２（ｄ）は、同時記録がＯＮで設定され、かつ条件１〜６を満たしていた時に、表示部１０６に表示される記録画面２０４である。画面２０４において、２０４ａと２０４ｂが共に表示されている時、同時記録が有効であることを示している。２０４ａは、第１記録媒体１１２の記録フォーマットがＭＰ４であり、記録可能時間が１時間２０分、記録モードが２４Ｍｂｐｓであることを示している。また、２０４ｂは、第２記録媒体１１３の記録フォーマットがＭＰ４であり、記録時間が３０分、記録モードが４Ｍｂｐｓであることを示している。
【００２７】
図２（ｅ）は、同時記録がＯＮに設定され、かつ条件１〜６の少なくとも１つを満たしていない場合に表示部１０６に表示される記録画面２０５である。ここでは、第２記録媒体１１３に設定しているＭＰ４記録が条件１〜６のいずれかを満たしていない場合を示している。表示２０５ａは、条件１〜６を満たしているため記録が可能であることを示している。表示２０５ｂは、ＭＰ４の記録設定が条件１〜６を全て満たしていないため、記録可能時間やビットレートが表示されていないことを示している。ユーザは、条件１〜６を全て満たすように第２記録媒体１１３の状態を変えることで、画面２０４の状態にすることができる。また、同時記録中においては、条件１〜６の他に、以下に示す条件７も満たしている場合のみ同時記録を継続することが可能である。
（条件７）動画記録時に使用するバッファが閾値以下であること。
【００２８】
なお、これらの各条件に関しては、制御部１０８が、第１記録再生部１０９、第２記録再生部１１０のそれぞれに対して上記各条件について問い合わせを行い、第１記録再生部１０９、第２記録再生部１１０からの応答に従って判定する。条件７を満たさない場合は、記録を停止する必要があるため、同時記録を解除する。但し、条件７に関しては、一度記録を停止して再度記録を自動的に再開する処理がある場合は、解除せずに同時記録の有効設定を維持してもよい。
【００２９】
図３（ａ）は、同時記録モードにおける保存データ一覧３０１である。ここでは、ＭＰ４の高ビットレートで第１記録媒体１１２へ記録し、ＭＰ４の低ビットレートで第２記録媒体１１３に記録する際の例を示している。保存データは、動画ファイル内に保存される。なおここでは、高ビットレート側の第１記録媒体１１２にメイン動画ファイルが作成され、低ビットレート側の第２記録媒体１１３にサブ動画ファイルが作成される。「主画像」は、前述したように、記録した動画ファイルの先頭付近のフレーム画像を縮小したものを静止画データ（サムネイル画像）として保存したものである。「ファイル関連情報」は、複数のファイルに分割された場合に、それらの前後のファイルの関連性が分かるように保存するデータである。ここで、「主画像」と「ファイル関連情報」に関しては、通常のＭＰ４記録においても保存される。「付加情報」は、同時記録時のみ、低ビットレート側（サブ側）の動画ファイルに対して保存される管理情報である。低ビットレート側の動画データにおいて、同時に記録されている高ビットレートの複数のファイルの分割位置に対応する位置の情報が付加情報として記録される。例えば、位置情報が、低ビットレート側の動画データにおいて、同時に記録されている高ビットレートの複数のファイルの分割位置に対応するフレームの画像を縮小したサムネイル画像を含んでもよい。本実施形態では、低ビットレート側（サブ側）のみとするが、高ビットレート側（メイン側）にあってもよい。また、同じビットレートの場合は、どちらか一方をユーザが選択するか、内蔵の記録媒体かカードカードかのメディアの種類に応じて自動で設定するようにしてもよい。以降、高ビットレート側をメイン側、低ビットレート側をサブ側として記す。
【００３０】
図３（ｂ）は、保存データ一覧３０１のサブ側のＭＰ４動画ファイルのデータ構造を示している。動画ファイルは、ヘッダ部と動画データ部に分かれている。ヘッダ部は、主画像データ、ファイル関連情報、付加情報を含む。ここで、主画像データとファイル関連情報は、同時記録時だけでなく通常の記録時にも保存される。一方、付加情報は同時記録時のみ保存される。
【００３１】
図３（ｃ）は、同時記録を行った際に、メイン側とサブ側でファイルサイズの制限により、それぞれ複数のファイルに分割された状態を示している。３０３ａは、メイン側のＭＰ４記録が、記録を停止するまでに４つのファイルに分割されて保存されたことを示している。３０３ｂは、サブ側のＭＰ４記録が記録を停止するまでに２つのファイルに分割されて保存されたことを示している。
【００３２】
また、メイン側のファイル１−２はＴ１、ファイル１−３はＴ２、ファイル１−４はＴ４の時点で分割され、サブ側のファイル２−１はＴ３の時点で分割されており、それぞれ分割タイミングが異なっている。以下の例においては、このメインとサブのファイル構成を前提として説明を行う。
【００３３】
図３（ｄ）は、同時記録を行った際に、サブ側のファイル２−１とファイル２−２にそれぞれ保存される「ファイル関連情報」の内容を示している。ファイル関連情報３０４ａはファイル２−１に保存される情報であり、ファイル関連情報３０４ｂはファイル２−２に保存される情報である。ここで、「ファイルＩＤ」は、ファイルが一意に識別できるＩＤのことで、通常記録の際にも保存されるデータである。「ＮＥＸＴＩＤ」は、ファイルが分割された際に、後続のファイルのファイルＩＤを示している。ここでは、ファイル２−１の次にファイル２−２が記録されているため、ＮＥＸＴＩＤはファイル２−２のファイルＩＤである２となっている。また、そのファイルが最後である場合は、ファイル２−２のＮＥＸＴＩＤで示したように無効データ（例えば、０ｘＦＦ）を保存しておく。再生時において、このファイル関連情報を参照することにより、シーンの繋がりが分かるようになっている。本実施形態では示していないが、メイン側に関しても同様にファイル関連情報を各ファイルに保存する。また、本実施形態では、「ファイルＩＤ」と「ＮＥＸＴＩＤ」のみとしたが、「ＰＲＥＶＩＤ」を追加し、そのファイルの前に関連付けられたファイルのファイルＩＤも保存するようにしてもよい。このとき、ファイルが前にない場合はＰＲＥＶＩＤを無効値（０ｘＦＦ）とする。ＰＲＥＶＩＤを追加することで、そのファイルを解析した時に、そのファイルが一連の関連したファイルの先頭ファイルなのか、中間ファイル、最終ファイルなのかを判断することが可能となる。
【００３４】
図３（ｅ）は、同時記録を行った際に、サブ側のファイル２−１とファイル２−２にそれぞれ保存される「付加情報管理テーブル」を示している。付加情報管理テーブル３０５ａはファイル２−１に保存され、付加情報管理テーブル３０５ｂはファイル２−２に保存される。付加情報管理テーブルには、サムネイル画像名とその画像と関連付けられた経過時間が示されている。ここで示すサムネイル画像名は、実データではなくその画像の名前（リンク・保存先）が保存されている。付加情報管理テーブル３０５ａの場合、０番目に主画像のサムネイル画像名と経過時間が保存されている。主画像のサムネイル画像は、ファイル２−１の先頭を示しているため、経過時間は０となる。次に１番目の副画像１−２は、図３（ｃ）に示される経過時間Ｔ１の時点のサムネイル画像となる。このサムネイル画像は、メイン側のファイル１−２が生成された時のフレーム画像となるため副画像名１−２という名前になっている。同様に、２番目の副画像１−３は、経過時間Ｔ２の時のサムネイル画像となっている。付加情報管理テーブル３０５ｂの場合、０番目の主画像２−２は、経過時間Ｔ３のサムネイル画像、１番目の副画像１−４は、メイン側のファイル１−４が生成された時のフレーム画像となり、経過時間Ｔ４となっている。本実施形態では、付加情報管理テーブル３０５ｂの経過時間Ｔ３、Ｔ４は、ファイル２−１の記録を開始してからの総経過時間としているが、ファイル２−２を生成してからの経過時間としてもよい。この場合、Ｔ３は０時間、Ｔ４は（Ｔ４−Ｔ３）時間となる。
【００３５】
ここで、分割された動画ファイルの先頭ファイルを決定する手法に触れておく。前述したように、経過時間を先頭のファイルが再生されてからの累積時間とすると、経過時間が０のファイルを先頭ファイルとみなして処理することが可能である。また、本実施形態では示していないが、前述した「ＰＲＥＶＩＤ」が無効値であるファイルを先頭ファイルと決定することも可能である。また、ＭＰ４ファイルはＤＣＦ準拠で保存されるため、そのフォルダ内に存在する全ファイルをサーチして、「ＮＥＸＴＩＤ」に現在のファイルのファイルＩＤがなければ、それを先頭ファイルと決定することも可能である。この先頭ファイルを決定する手法を用いることで、後述するインデクス画面において、付加情報管理テーブル３０５ａ、３０５ｂに保存されているサムネイル画像のうち、どのサムネイル画像をインデクス画面に表示するかを決定することが可能となる。
【００３６】
次に、同時記録モードが設定された状態におけるビデオカメラ１００の記録処理について説明する。図４は、同時記録モードが設定された状態におけるビデオカメラ１００の記録制御の処理を示すフローチャートである。図４の処理は、制御部１０８が各部を制御することにより実行される。上述のようにして同時記録モードがユーザにより設定され、記録ポーズ状態のときにユーザにより動画撮影開始の指示があると、図４のフローで示される処理が開始する。動画撮影指示があると、制御部１０８は、記録先の記録媒体とそれに対応する記録フォーマット、フレームレート、ビットレートを指定する（Ｓ４０１）。本実施形態では、第１記録媒体１１２が高ビットレートのＭＰ４記録、第２記録媒体１１３が低ビットレートのＭＰ４記録とする。操作部１０７から記録の開始が指示された場合に（Ｓ４０２ＹＥＳ）、制御部１０８は、動画像信号の記録を開始する。ＭＰ４動画記録の場合は、記録を開始した際の先頭フレーム付近のフレーム画像を縮小したものを、主画像のサムネイル画像としてメモリ１０２に保存する（Ｓ４０３）。メイン側とサブ側がＭＰ４の場合は、それぞれのサムネイル画像を保存する（Ｓ４０３）。
【００３７】
次に、ファイル関連情報をメモリ１０２に保存する（Ｓ４０４）。このとき、１ファイル目の記録開始においては、ファイル関連情報の「ファイルＩＤ」は有効値を保存し、「ＮＥＸＴＩＤ」は無効値を保存する。メイン側とサブ側がＭＰ４の場合は、それぞれのファイル関連情報を保存する。
【００３８】
同時記録を行っている最中に所定のファイルサイズを超えた場合（Ｓ４０６ＹＥＳ）は、ファイルの分割処理に移行する。ファイルの分割処理は、まず主画像が保存されているかを判断する（Ｓ４０７）。主画像が保存されている場合は、Ｓ４０３にてメモリ１０２に保存したサムネイル画像を動画ファイル内に保存する（Ｓ４０８）。主画像が保存されていない場合は、サムネイル画像の代わりに「？」と描かれた画像を動画ファイル内に保存する（Ｓ４０９）。この「？」画像は、あらかじめ不揮発性のメモリに保存してあるものである。次に、Ｓ４０４にてメモリ１０２に保存したファイル関連情報を動画ファイルに保存する（Ｓ４１０）。このとき、ファイル関連情報における「ＮＥＸＴＩＤ」には、次に作成するファイルのファイルＩＤを書きこむ。その後、制御部１０８は、動画ファイルの新規作成を行う（Ｓ４１１）。動画ファイルを新規作成するまでの書き込み先がない状態となる期間は、第１信号処理部１０３や第２信号処理部１０４で符号化したデータは、全てメモリ１０２に保存する。このとき、生成したタイミングにおけるフレーム画像を縮小してサムネイル画像としてメモリ１０２に保存する（Ｓ４１２）。このサムネイル画像は、メイン側、サブ側に関係なく、新規作成したファイル用の主画像として保存する。生成したファイルがメイン側の場合は、あとから副画像用としても使用するため、サブ側のファイルの分割処理が行われるまで、上書きせずにメモリ１０２に保存しておく。そして、新規作成したファイルにおけるファイル関連情報を新たに生成してメモリ１０２へ保存する（Ｓ４１３）。
【００３９】
ファイルが分割されたのがメイン側であった場合（Ｓ４１４ＹＥＳ）、付加情報管理テーブルを新規作成又は更新してメモリ１０２へ保存する（Ｓ４１５）。ファイルが分割されたのがサブ側だった場合は、付加情報管理テーブルをサブ側の動画ファイル内に保存する（Ｓ４１６）。そして、副画像データ自体もサブ側の動画ファイル内に保存する（Ｓ４１７）。副画像データは、メイン側のファイル分割数分存在するため、複数になる場合もある。ファイルの分割後は、通常の同時記録に戻る。操作部１０７より記録の停止を通知された場合（Ｓ４１８ＹＥＳ）、制御部１０８は、記録終了処理へ移行する。
【００４０】
記録終了処理において、まず主画像が保存されているかを判断する（Ｓ４１９）。主画像が保存されている場合は、メモリ１０２に保存したサムネイル画像を動画ファイル内に保存する（Ｓ４２０）。主画像が保存されていない場合は、サムネイル画像の代わりに「？」と描かれた画像を動画ファイル内に保存する（Ｓ４２１）。そして、メモリ１０２に保存したファイル関連情報を動画ファイル内に保存する（Ｓ４２２）。サブ側の動画ファイルの終了処理の場合は（Ｓ４２３ＹＥＳ）、付加情報管理テーブルを動画ファイル内に保存する（Ｓ４２４）。さらに、副画像データ自体もサブ側の動画ファイル内に保存する（Ｓ４２５）。メイン側の動画ファイルの終了処理の場合は何も行わない。全ての記録媒体における記録終了処理が終わったら処理を終了し、終わっていなければ、Ｓ４１９に戻る（Ｓ４２６）。上記のようにして、ＭＰ４の同時記録を実行することで、サブ側のＭＰ４ファイル内に付加情報を保存する。
【００４１】
次に、記録済みの動画データに関して、ビデオカメラ１００でインデクス画面を表示する処理について説明する。図５は、ビデオカメラ１００のインデクス画面の表示処理を示すフローチャートである。図５の処理は、制御部１０８が各部を制御することにより実行される。この処理は、同時記録を終了した後に、動画再生モードへ切り替えた時を前提としている。ユーザの操作部１０７への操作に従い、制御部１０８は動画再生モードに切り替える（Ｓ５０１）。制御部１０８はその後、現在設定されている記録媒体が第１記録媒体１１２なのか第２記録媒体１１３なのかを判断する（Ｓ５０２）。ここで、設定されている記録媒体は、同時記録モードの場合は、メイン側とし、単体記録の場合は、動画記録対象とされている記録媒体とする。内蔵メディア（第１記録媒体１１２）が設定されていると判断した場合は、ＡＶＣＨＤの動画ファイルを表示するか、ＭＰ４の動画ファイルを表示するかの判断を行う（Ｓ５０３）。ＡＶＣＨＤかＭＰ４かの判断は、最後に記録した記録フォーマットによって決定される。ＡＶＣＨＤの動画ファイルを表示する場合、制御部１０８は、最後に撮影したシーンを含む複数のＡＶＣＨＤ動画ファイルのうち先頭付近のフレーム画像を縮小したものをサムネイル画像として表示させる（Ｓ５０４）。一方、ＭＰ４の動画ファイルを表示する場合は、ＭＰ４ファイル内に保存しているサムネイル画像を表示する（Ｓ５０５）。
【００４２】
次に、記録媒体がサブ側であると判断した場合、Ｓ５０３と同様にＡＶＣＨＤの動画ファイルを表示するか、ＭＰ４の動画ファイルを表示するかの判断を行う（Ｓ５０６）。ＡＶＣＨＤの動画ファイルを表示する場合、制御部１０８は、最後に撮影したシーンを含む複数のＡＶＣＨＤ動画ファイルのうち先頭付近のフレーム画像を縮小したものをサムネイル画像として表示させる（Ｓ５０７）。一方、ＭＰ４の動画ファイルを表示する場合は、同期インデクスモードであるかどうかを判断する（Ｓ５０８）。ここで、同期インデクスモードとは、同時記録にて、付加情報がファイル内に保存されているファイルがある場合には、その付加情報を使用してサムネイル画像を表示するモードである。付加情報がないファイルに関しては、通常のインデクス表示となる。同期インデクスモードか通常インデクスモードであるかは、後述するメニュー画面にて切り換えることが可能である。通常インデクスモードが設定されていた場合は、メイン側と同様に、ＭＰ４ファイル内に保存している主画像をサムネイル画像として表示する（Ｓ５０９）。同期インデクスモードが設定されていた場合は、制御部１０８は、付加情報管理テーブル３０５ａ、３０５ｂを参照して、サムネイル画像を表示する（Ｓ５１０）。このように同期インデクスモードにおいては付加情報管理テーブル３０５ａ、３０５ｂを参照することにより、同時記録で撮影したファイルのサムネイル画像をメイン側とサブ側で同じにすることができる。
【００４３】
図６は、インデクス画面表示処理を説明する図である。図６の処理は、制御部１０８が各部を制御することにより実行される。本実施形態では、メイン側とサブ側に、図３（ｃ）で示した同時記録で記録したファイルのみが保存されていることを前提としているが、同時記録以外の通常記録のファイルが混在する場合でも実施可能である。
【００４４】
図６（ａ）は、図３（ｃ）のようにメイン側とサブ側で同時記録を行った場合に、図５のＳ５０５の処理にて表示されるインデクス画面６０１を示している。図３（ｃ）において、メイン側は４つのファイルに分割して記録されているため、ファイル１−１、ファイル１−２、ファイル１−３、ファイル１−４に対応する４つの主画像が表示されている。
【００４５】
図６（ｂ）は、図５のＳ５０９の処理にて表示されるインデクス画面６０２を示している。図３（ｃ）において、サブ側は２つのファイルに分割して記録されているため、６０２ａで示したようにファイル２−１とファイル２−２に対応する、各主画像がそれぞれ表示される。
【００４６】
図６（ｃ）は、図５のＳ５１０にて表示される同期インデクス画面６０３を示している。図３（ｃ）のサブ側のファイル２−１（第１のファイル）には、付加情報管理テーブル３０５ａが保存され、ファイル２−２には、付加情報管理テーブル３０５ｂが保存されている。同期インデクスモードの時、制御部１０８は、ファイル２−１内に保存されている付加情報管理テーブル３０５ａを解析する。このとき、主画像２−１の経過時間が０であるため、このファイルを先頭ファイルであると判断する。先頭ファイルである場合、同期インデクス画面において、付加情報管理テーブル３０５ａに保存されている主画像と副画像の全てのサムネイル画像を表示する。次に、ファイル２−２内に保存されている付加情報管理テーブル３０５ｂを解析する。このとき、主画像２−２の経過時間がＴ３であるため、このファイルはファイル分割した際の先頭ファイルではないと判断する。その場合は、主画像は表示せず、副画像のみを表示する。これにより、同期インデクス画面６０３には、主画像２−１、副画像１−２、副画像１−３、副画像１−４の順にサムネイル表示を行う。ここで、先頭ファイルの探索は、経過時間に基づいて判断した。ただし、前述したようにＭＰ４ファイルはＤＣＦ準拠で保存される。そこで、そのフォルダ内に存在する全ファイルをサーチし、ファイル関連情報３０４ａ、３０４ｂの「ＮＥＸＴＩＤ」に現在のファイルのファイルＩＤがなければ、それを先頭ファイルと決定することも可能である。
【００４７】
このように、同期インデクス画面６０３には、まず、サブ側の主画像に係る先頭の動画ファイルである第１の動画ファイル（ファイル２−１）のインデクス画像が表示される。また同期インデクス画面６０３には、メイン側で分割記録された複数の動画ファイルのうち先頭の動画ファイルを除く少なくとも１つの第２の動画ファイル（ファイル１−２、１−３、１−４）のインデクス画像が、第１の動画ファイルとともに一画面内に表示される。
【００４８】
図６（ｄ）は、特殊インデクスモードと通常インデクスモードの切り替えを行うためのセットアップ画面６０４を示している。ユーザは、不図示のセットアップボタンを押すことにより、セットアップ画面６０４を表示することが可能である。このとき、６０４ａで示したように、「インデクス設定」を選択することで、図６（ｅ）に示されるようなインデクス設定画面に遷移することができる。
【００４９】
図６（ｅ）は、インデクス設定画面６０５を示している。インデクス設定画面６０５では、通常インデクスと同期インデクスの切り替えの設定を行うことができる。図示のように、「通常インデクス」６０５ａと「同期インデクス」６０５ｂが表示され、ユーザはいずれか一方を選択することができる。ここで、「同期インデクス」６０５ｂが選択された場合、制御部１０８は、ＭＰ４ファイルの場合は、各ファイル内にある付加情報を検索する処理を行い、ＡＶＣＨＤファイルの場合は、別に保存している管理ファイル内の情報を検索する。ＭＰ４、ＡＶＣＨＤに関わらず、付加情報があるファイルがあった場合には、付加情報を元にしたサムネイル画像の表示を行い、付加情報のないファイルがあった場合は、通常の主画像を表示する。
【００５０】
図６（ｆ）は、再生設定画面６０６を示している。再生設定画面６０６では、再生を指示した際にファイル単位で再生を終了する「ファイル単位」６０６ａと、最後のファイルまで連続して再生する「連続」６０６ｂが表示され、ユーザはいずれか一方を選択することができる。前述したインデクス設定画面６０５にて「同期インデクス」６０５ａが選択され、再生設定画面６０６にて「ファイル単位」６０６ａが選択された場合、サブ側の同時記録したファイルの再生時におけるファイル単位は、メイン側のファイルの区切りとなる。たとえば、同期インデクス画面の６０３ｂで示した副画像１−２が選択された場合、図３（ｃ）で示した経過時間で説明すると、Ｔ１の位置から再生が開始され、Ｔ２の時間で再生を終了し、同期インデクス画面に戻る制御となる。この再生を行う場合の処理についてさらに詳細に述べる。図３（ｃ）のサブ側のようにファイル２−１とファイル２−２のように分割され、メイン側の分割した時間がＴ１、Ｔ２、Ｔ４のようになっていた場合を考える。このとき、６０３ａで示した主画像２−１をユーザが操作部１０７により選択した場合は、ファイル２−１の先頭から再生が開始される。６０３ｂで示した副画像１−２が選択された場合は、副画像１−２の開始位置に対応するファイル２−１の中間位置であるＴ１から再生が開始される。６０３ｃで示した副画像１−３が選択された場合は、副画像１−３の開始位置に対応するファイル２−１のＴ２から再生が開始される。６０３ｄで示した副画像１−４が選択された場合は、ファイル２−２のＴ４から再生が開始される。
【００５１】
再生設定画面６０６にて、連続再生が設定された場合、ユーザから再生停止の指示がなければ、ファイル２−２の終端まで再生を行う。ファイル２−２の後にも通常記録のファイルがあった場合は、継続してそのファイルも再生される。また、ファイル単位の再生が設定された場合は、主画像２−１はファイル２−１のＴ１まで、副画像１−２はファイル２−１のＴ２まで、副画像１−３はファイル２−２のＴ４まで、副画像１−４はファイル２−２の最後まで再生されて、インデクス画面に戻る。
【００５２】
このようにして、同期インデクスの設定とサムネイル表示を行うことで、同時記録を行ったファイルのメインとサブ側での対応関係を分かりやすくすることが可能である。
【００５３】
（第２実施形態）
次に、第２実施形態として、同時記録モードにおいて、メイン側をＭＰ４の記録フォーマット、サブ側をＡＶＣＨＤの記録フォーマットとして設定した場合のビデオカメラ１００の記録処理について説明する。
【００５４】
図７（ａ）は、同時記録モードにて、ＭＰ４の記録フォーマットにて第１記録媒体１１２へ記録し、ＡＶＣＨＤの記録フォーマットにて第２記録媒体１１３に記録する際の各動画ファイル内に保存する保存データ一覧７０１を示している。ＭＰ４においては、第１の実施形態でも述べたように、「主画像」は、記録した動画ファイルの先頭付近のフレーム画像を縮小してサムネイル画像として保存したものである。「ファイル関連情報」は、複数のファイルに分割された場合に、それらの前後のファイルの関連性が分かるように保存するデータである。ＡＶＣＨＤにおいては、ＭＰ４で保存する主画像は保存しない。また、ＡＶＣＨＤにおいて保存する「ファイル関連情報」は、ＡＶＣＨＤ規格に基づいた公知の情報であるため、ここでは詳細は述べない。「付加情報」に関しては、ＭＰ４の場合とは異なり、サムネイル画像を保存する必要がないため、経過時間のみを保存する。
【００５５】
図７（ｂ）は、図３（ｃ）のように、同時記録を行ったサブ側のＡＶＣＨＤのファイルがファイル２−１とファイル２−２の２つに分割された場合の「付加情報管理テーブル」を示している。付加情報管理テーブル７０２ａはファイル２−１、付加情報管理テーブル７０２ｂはファイル２−２に対応している。このテーブルには、経過時間が示されており、ファイルの先頭は０番目とし、１番目以降に、図３（ｃ）においてメイン側のファイルが分割されたときの経過時間を保存する。付加情報管理テーブル７０２ｂの場合、同様に、０番目の経過時間はＴ３、１番目はＴ４となっている。本実施形態では、これらの付加情報管理テーブル７０２ａ、７０２ｂは、ＡＶＣＨＤ規格の公知の管理ファイルとは別の独自管理ファイルに保存される。あるいはその代わりに、ＡＶＣＨＤ規格の公知の管理情報内でそれぞれのファイル２−１、ファイル２−２を対応付けて保存してもよい。
【００５６】
ここで、ＡＶＣＨＤ動画におけるインデクス画面のサムネイル画像表示について述べる。ＡＶＣＨＤ動画の場合、図６（ｂ）のようにファイル２−１とファイル２−２のサムネイル画像を表示する際は、先頭付近のフレーム画像を縮小してサムネイル画像として表示する。また、別ファイルで保存している付加情報を用いた同期インデクス画面６０３においては、付加情報管理テーブル７０２ａに保存されている経過時間情報から、それぞれの時間におけるフレーム画像を縮小してサムネイル画像として表示する。この時、先頭ファイルであるかの判断は、ＡＶＣＨＤ規格の公知のファイル関連情報が保存している管理ファイルを解析することで、先頭ファイルかどうかを判断する。これにより、２ファイル以降の先頭のサムネイル画像を表示しないかの判断が可能となる。このようにして、ＭＰ４とＡＶＣＨＤの組み合わせにおいても、同時記録で撮影したファイルのサムネイル画像をメイン側とサブ側で同じにすることが可能となる。
【００５７】
次に、ＡＶＣＨＤとＭＰ４の組み合わせによる、同時記録モードにおけるビデオカメラ１００の記録処理について説明する。図８は、同時記録モードが設定された状態におけるビデオカメラ１００の記録制御の処理を示すフローチャートである。図８の処理は、制御部１０８が各部を制御することにより実行される。同時記録モードがユーザにより設定され、記録ポーズ状態のときにユーザにより動画撮影開始の指示があると、図８のフローで示される処理が開始する。動画撮影指示があると、制御部１０８は、記録先の記録媒体とそれに対応する記録フォーマット、フレームレート、ビットレートを指定する（Ｓ８０１）。本実施形態では、第１記録媒体１１２に対してＭＰ４記録をし、第２記録媒体１１３に対してＡＶＣＨＤ記録を行う。操作部１０７から記録の開始が指示された場合に（Ｓ８０２ＹＥＳ）、制御部１０８は、動画像信号の記録を開始する。ＭＰ４動画記録を行っているメイン側は、記録を開始した際の先頭フレーム付近のフレーム画像を縮小した主画像用のサムネイル画像とファイル関連情報とをメモリ１０２に保存する（Ｓ８０３）。このとき、１ファイル目の記録開始においては、ファイル関連情報の「ファイルＩＤ」としては有効値を保存し、「ＮＥＸＴＩＤ」としては無効値を保存する。また、ＡＶＣＨＤ動画記録を行っているサブ側においては、ＡＶＣＨＤ規格に基づいた公知のファイル関連情報をメモリ１０２へ保存する（Ｓ８０４）。
【００５８】
同時記録を行っている最中に所定のファイルサイズを超えた場合（Ｓ８０６ＹＥＳ）は、ファイルの分割処理に移行する。ファイルの分割処理は、ＭＰ４記録かＡＶＣＨＤ記録かによって異なる（Ｓ８０７）。ＭＰ４記録と判断された場合、まず主画像が保存されているかを判断する（Ｓ８０８）。主画像が保存されている場合は、Ｓ８０３にてメモリ１０２に保存したサムネイル画像とファイル関連情報を動画ファイル内に保存する（Ｓ８０９）。主画像が保存されていない場合は、サムネイル画像の代わりに「？」と描かれた画像と、Ｓ８０３にて保存したファイル関連情報とを動画ファイル内に保存する（Ｓ８１０）。次に、制御部１０８は、動画ファイルの新規作成を行う（Ｓ８１１）。動画ファイルを新規作成するまでの書き込み先がない状態となる期間は、第１信号処理部１０３や第２信号処理部１０４で符号化したデータは、全てメモリ１０２に保存する。そして、生成したタイミングにおけるフレーム画像を縮小してサムネイル画像としてメモリ１０２に保存するとともに、ファイル関連情報を新規作成してメモリ１０２に保存する（Ｓ８１２）。ここで生成されるサムネイル画像は、ＭＰ４記録を行っているメイン側のみでしか使用しないため、メイン側のファイル内に画像データを書き込んだあとは破棄してもよい。Ｓ８０７にてＡＶＣＨＤ記録と判断された場合、制御部１０８は、動画ファイルの新規作成を行う（Ｓ８１３）。そして、Ｓ８０４にてメモリ１０２に保存したＡＶＣＨＤ規格に基づいたファイル関連情報を更新する（Ｓ８１４）。
【００５９】
ファイルが分割されたのがメイン側であった場合（Ｓ８１５ＹＥＳ）、付加情報管理テーブルを新規作成又は更新してメモリ１０２へ保存する（Ｓ８１６）。ファイルが分割されたのがサブ側だった場合は、何も行わない。ファイルの分割後は、通常の同時記録に戻る。操作部１０７より記録の停止を通知された場合（Ｓ８１７ＹＥＳ）、制御部１０８は、記録終了処理へ移行する（Ｓ８１７）。
【００６０】
記録終了処理は、ＭＰ４記録かＡＶＣＨＤ記録かによって異なる（Ｓ８１８）。ＭＰ４動画の終了処理の場合、まず、主画像が保存されているかを判断する（Ｓ８１９）。主画像が保存されている場合は、メモリ１０２に保存したサムネイル画像とファイル関連情報とを動画ファイル内に保存する（Ｓ８２０）。主画像が保存されていない場合は、サムネイル画像の代わりに「？」と描かれた画像とファイル関連情報とを動画ファイル内に保存する（Ｓ８２１）。ＡＶＣＨＤ動画の終了処理の場合、メモリ１０２に保存したＡＶＣＨＤ規格に基づいた公知のファイル関連情報を管理ファイルに保存する（Ｓ４２２）。そして、サブ側の動画ファイルの終了処理の場合は（Ｓ８２３ＹＥＳ）、付加情報管理テーブルをＡＶＣＨＤ規格の公知の管理ファイルとは別の独自の管理ファイルに保存する（Ｓ８２４）。メイン側の動画ファイルの終了処理の場合は、何も行わない。最後に、両方のメディアのファイルの終了処理が終わっていれば終了し、終わっていなければＳ８１８へ戻る。
【００６１】
以上、本発明の実施形態を詳述したが、本発明はこれら特定の実施形態に限られるものではなく、この発明の要旨を逸脱しない範囲の様々な形態も本発明に含まれる。上述の実施形態の一部を適宜組み合わせてもよい。
【００６２】
また、上述の実施形態１、２においては、ＭＰ４記録側は、主画像のサムネイル画像を記録開始時に生成するとした。しかし、これはサムネイル画像の表示用であるため、復号を行う第１信号処理部１０３や第２信号処理部１０４にＭＰ４動画ファイル内の先頭付近のフレーム画を縮小してサムネイル画像とすることが可能な場合は、行わなくてよい。また、このとき、サブ側（低ビットレート側）に保存する付加情報において、副画像を残すとしていたが、付加情報管理テーブル７０２ａ、７０２ｂのように時間情報のみを残すようにしてもよい。
【００６３】
また、実施形態１、２において、有効条件１〜７を示したが、この条件のうち１つでも一致しなかった時点で、図２（ａ）の同時記録設定をＯＮからＯＦＦに制御するようにしてもよい。この場合は、ユーザが有効条件１〜７に全て当てはまった時に、再度ＯＮにできるようにし、条件が揃わない限りはＯＮにさせずに警告表示をしてユーザに知らせる。
【００６４】
また、実施形態１、２において、ファイル分割をした際に、サムネイル画像やファイル関連情報を保存するとしたが、記録動作が終了した後に、各ファイル内を書き換えてもよい。
【００６５】
また、実施形態１、２において、再生設定画面６０６において、再生方式として「ファイル単位」と「連続」の２種類が存在した。しかし、ファイル関連情報３０４ａ、３０４ｂを用いることで、分割されたファイルを１単位として再生するような方法を採用してもよい。この場合、図３（ｃ）のサブ側の場合、ファイル２−１とファイル２−２を１つの単位として再生する処理となる。
【００６６】
また、上述の実施形態１、２においては、第１信号処理部１０３、第２信号処理部１０４からの動画データを、第１記録媒体１１２、第２記録媒体１１３にそれぞれ分けて保存する構成とした。しかし、２つの画像データを１つの記録媒体に記録する構成であってもよい。この場合、第１記録再生部と第２記録再生部もどちらか１つさえあればよい。
【００６７】
また、上述の実施形態１、２において、第１信号処理部１０３、第２信号処理部１０４の記録フォーマットをＡＶＣＨＤとＭＰ４の組み合わせとしたが、それ以外の動画フォーマットであってもよいことは言うまでもない。
【００６８】
（他の実施形態）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。この場合、そのプログラム、及び該プログラムを記憶した記憶媒体は本発明を構成することになる。
【図１】
2014165677.tif 000003
【図２】
2014165677.tif 000004
【図３】
2014165677.tif 000005
【図４】
2014165677.tif 000006
【図５】
2014165677.tif 000007
【図６】
2014165677.tif 000008
【図７】
2014165677.tif 000009
【図８】
2014165677.tif 000010